(57)【特許請求の範囲】
【請求項１】
ハンガー本体の頂部に位置する首部にフック材を備え、肩形状を呈して形成される上着掛け部を有する衣料用ハンガーにおいて、
基端部側の支持棒と先端側のフック部とよりなるフック材と、
フック材の支持棒を挿通するフック材支持棒装入穴と、フック材支持棒装入穴の上方に設け、ハンガー本体の頂部に開口する吊下部材回動穴とを有するハンガー本体と、
吊下部材回動穴内に挿着し、回動可能な基部を下部に有し、上部に吊下体を延設する吊下部材とよりなり、
吊下部材の吊下体を上部に引上時は、フック材のフック部或いは支持棒とフック部との折曲部に当接し、引き上げを制限させると共に、少なくとも吊下部材をハンガー本体前面側に位置させた時に、ハンガー本体の頂部と当接しない位置に吊下体にフック部挿入穴を設けることを特徴とする衣料用ハンガー。
【請求項２】
ハンガー本体前面側に吊下体を位置させた時、吊下体の位置決め機構を、ハンガー本体に設けたことを特徴とする請求項１記載の衣料用ハンガー。
【請求項３】
請求項１又は２記載のフック材支持棒装入穴及び吊下部材回動穴の構造を、ハンガー本体とは別にユニットとして製作し、このユニットをハンガー本体に装着固定したことを特徴とする衣料用ハンガー。
【請求項４】
ハンガー本体の頂部の吊下部材回動穴の開口脇に設けている凹部に、吊下体を挿入可能としたことを特徴とする請求項１又は２記載の衣料用ハンガー。
【請求項５】
吊下体に設けた嵌合孔内に、フック材に設けている吊下部材嵌合突起を嵌合可能に設けたことを特徴とする請求項１又は２記載の衣料用ハンガー。
【発明の詳細な説明】
【０００１】
【発明の属する技術分野】
本発明は、上着等掛け吊り下げ使用するもので、特に衣料品店舗、衣料品倉庫等で使用する衣料用ハンガーに関するものである。
【０００２】
【従来の技術】
近年、衣料品ハンガーについては、決まった支持部が無く、衣料品の掛けはずしは、ハンガーのフックを持って行うのか、フック下方を手で支えて行っている。この為、不安定で扱いにくいものであった。また、衣料用ハンガーをロッカー等に吊す際に、フックを持っては、掛けにくい場合が多かった。このようなことから、ハンガーに取手を設ける構成のものが種々提案されている。例えば、実開昭５３−２０６２６号公報、特開昭５３−４２９５８号公報、特開平５−４９７５号公報、特開平９−３２７３６６号公報等種々の提案がなされている。
【０００３】
【発明が解決しようとする課題】
上述の従来の衣料用ハンガーに於いて、取手を設けたものは種々あるが、これらを衣料店で使用する場合には、取手を有する関係からそのまま使用しては、体裁が必ずしも良くない。
また、高級衣料品で使用するハンガーは型くずれ防止より、店舗或いは倉庫において、ハンガーの厚みが厚いものを使用することが多く、この為、ハンガーに吊った衣料は、ハンガーの厚み分のスペースが必ず必要となり、衣料品を沢山吊り下げることが出来ない欠点があった。
本発明では、ハンガーの厚みによるハンガーの吊り下げ量を増大することが出来、更に、体裁の良い衣料用ハンガーを提供することにある。
【０００４】
【課題を解決するための手段】
本発明のハンガーは、上述した目的を達成するため、以下の特徴点を備えている。
すなわち、本発明は、ハンガー本体の頂部に位置する首部にフック材を備え、肩形状を呈して形成される上着掛け部を有する衣料用ハンガーにおいて、基端部側の支持棒と先端側のフック部とよりなるフック材と、フック材の支持棒を挿通するフック材支持棒装入穴と、フック材支持棒装入穴の上方に設け、ハンガー本体の頂部に開口する吊下部材回動穴とを有するハンガー本体と、吊下部材回動穴内に挿着し、回動可能な基部を下部に有し、上部に吊下体を延設する吊下部材とよりなり、吊下部材の吊下体を上部に引上時は、フック材のフック部或いは支持棒とフック部との折曲部に当接し、引き上げを制限させると共に、少なくとも吊下部材をハンガー本体前面側に位置させた時に、ハンガー本体の頂部と当接しない位置に吊下体にフック部挿入穴を設けることを特徴とする。
【０００５】
請求項２記載の発明において、ハンガー本体前面側に吊下体を位置させた時、吊下体の位置決め機構を、ハンガー本体に設けたことを特徴とする。
また、請求項３記載の発明において、請求項１又は２記載のフック材支持棒装入穴及び吊下部材回動穴の構造を、ハンガー本体とは別にユニットとして製作し、このユニットをハンガー本体に装着固定したことを特徴とする。
【０００６】
請求項４に記載の発明では、ハンガー本体の頂部の吊下部材回動穴の開口脇に設けている凹部に、吊下体を挿入可能としたことを特徴とする。
更に、請求項５に記載の発明では、吊下体に設けた嵌合孔内に、フック材に設けている吊下部材嵌合突起を嵌合可能に設けたことを特徴とする。
【０００８】
本発明は上述のように構成し、吊下部材の引き上げ時に、フック材のフック部或いは支持棒とフック部との折曲部に当接するため、吊下部材の吊下体を持つことにより、衣料品ハンガー全体を持ち上げることが出来る。また、吊下部材をハンガー本体前背面側に位置させた時に、ハンガー本体の頂部と当接しない位置に吊下体にフック部挿入穴を設けていることより、他の衣料用ハンガーのフック材をフック部挿入穴内に挿入することが出来、連続的に衣料用ハンガーを吊り下げることが出来、その際衣料用ハンガーのハンガー本体の位置が順次下方に移動することになり沢山の衣料を狭い幅に吊り下げることが出来る。
【０００９】
また、ハンガー本体前面側に吊下体を位置させた時、吊下体の位置決め機構を、ハンガー本体に設けることにより、他の衣料用ハンガーのフック材をフック部挿入穴内に挿入し吊り下げた時に、フック材の吊り下げ位置が安定した状態で、衣料を吊り下げ保持することが出来る。
【００１０】
さらに、前記のフック材支持棒装入穴、及び吊下部材回動穴の構造を、ハンガー本体とは別にユニットとして製作し、このユニットをハンガー本体に装着固定する構成とすると、従来の衣料用ハンガーのハンガー本体のフック材の装着部分にユニット化したものを装着することで製作することが出来、各種の形状の衣料用ハンガーに適用することが出来るほか、木製の衣料用ハンガーに適用することも出来る。
【００１１】
また、ハンガー本体の頂部の吊下部材回動穴の開口脇に設けている凹部に、吊下体を挿入可能とすることで、吊下体を不使用時に収納することが出来体裁の良い製品を提供することが出来、このように吊下体を吊下部材装着凹部内に収納したときには、吊下体に設けた嵌合孔内に、フック材に設けている吊下部材嵌合突起を嵌合可能に設けた構成とすることで、吊下部材装着凹部内に装着している吊下体を、フック材の吊下部材嵌合突起を吊下体の嵌合孔内に勘合させた後、支持棒を持ち上げることで、吊下体を吊下部材装着凹部内から容易に取り出すことが出来る。
【００１２】
【発明の実施の形態】
以下、図面に基づいて、本発明に係る衣料用ハンガーを説明する。
図１は本発明に係る衣料用ハンガーの斜視図、図２はハンガー本体の要部拡大部分断面斜視図、図３はフック材の斜視図、図４は吊下部材の斜視図である。
本発明は、肩形状を呈して形成される上着掛け部を有するハンガー本体１と、ハンガー本体１の頂部に位置する首部１４に備え付けているフック材２と、衣料用ハンガーを持上げる時及び吊り下げ時に使用する吊下部材とよりなる。
【００１３】
（ハンガー本体１）
ハンガー本体１は、従来の衣料用ハンガーと同様の材質等で製作し、一般的には、合成樹脂等で製作するが、木製で製作する際は後述する如く、フック材２及び吊下部材３を支持する部分をユニット化したものを用いる。
ハンガー本体１は、肩形状を呈して形成される上着掛け部を有し、その頂部に位置する首部１４から鉛直方向に通孔が形成され、該通孔のハンガー本体の首部１４の下面側にフック材支持棒装入穴１０を形成し、ハンガー本体の首部１４の上面側に、フック材支持棒装入穴１０よりも大きい径の吊下部材回動穴１１を開口している。そして、吊下部材回動穴１１の底部に実施の形態では断面が楕円形の２つの深さの吊下部材収納固定穴１２及び吊下部材位置固定穴１３を前記フック材支持棒装入穴１０及び吊下部材回動穴１１と同一芯の位置に設けている。
また、ハンガー本体の頂部の吊下部材回動穴１１の開口脇に凹部に形成した吊下部材装着凹部１５を設けている。この吊下部材装着凹部１５の深さは、後述する吊下部材３の吊下体３０の厚さ以上としている。
なお上述以外のハンガー本体の形状は通常のものと同様であるので説明は省略する。
【００１４】
図５は、ハンガー本体に設ける構造を、ハンガー本体１とは別にユニット化した実施例を示すもので、このユニット１６をハンガー本体１に設けている装着穴１７に装着し接着剤等適宜固定手段で固定する構成となっている。
このユニット１６は、ハンガー本体１に設けている構造、即ち、前記フック材支持棒装入穴１０、吊下部材回動穴１１、吊下部材収納固定穴１２及び吊下部材位置固定穴１３の構造を内部に有し、下部に鍔部１８を有することで、衣料用ハンガーを持ち上げたとき、及び吊り下げ時にかかる荷重をハンガー本体１に確実に伝達することが出来る。
【００１５】
（フック部材２）
フック部材２は、通常の衣料用ハンガーに使用されているものと同様の材質、例えば鉄材を基端側を直線状の支持棒２０、先端側を湾曲させたフック部２１より形成する。
そして、支持棒２０の下端近傍に固定リング取り付け溝２２が設けられており、フック材２の支持棒２０を前記吊下部材回動穴１１，フック材支持棒装入穴１０に挿入し、フック材支持棒装入穴１０の下端面より突出させた後、フック材２の固定リング取り付け溝２２に固定リング２３を挿着固定し、フック材２をハンガー本体に固定している。また、フック部２１の折り曲げ開始部に吊下部材嵌合突起２４が設けられている。
なお上述実施例では、フック材２を固定リング２３を用いた例を示したが、フック材２をハンガー本体１に装着した後に支持棒２０の下端部を折り曲げ或いは、プレス等でつぶす等し、ハンガー本体１からフック材の抜け出ることを防止する構成であっても良い。
【００１６】
（吊下部材３）
吊下部材３は、例えばアルミダイキャスト等、ある程度強度を有する金属、合金等で製作する。そして、吊下部材３は、上方に前記吊下部材装着凹部１５に装入できる例えば舌形状の吊下体３０と、吊下体３０の先端側の内方に設けたフック部挿入穴３１と、かつ吊下体３０の基端部側に下方に固設し、中心部に前記フック材２の支持棒２０を挿入するフック材支持棒挿入孔３３を有する円筒形の基部３２と、基部３２の下端に設けている断面楕円形の柱形状の位置保持体３４とよりなっている。
そして、吊下体３０の上面には前記フック部挿入穴３１の基端側に嵌合孔３５が設けられており、前記吊下部材嵌合突起２４が嵌合可能となっている。
【００１７】
また、吊下部材３の基部３２を前記吊下部材回動穴１１に装着し、少なくとも吊下部材３をハンガー本体前面側に移動させた時に、ハンガー本体１の首部１４と当接しない位置となるようにフック部挿入穴３１を配置出来る吊下体３０、フック部挿入穴３１の大きさ及び配置としている。
ただ、フック部挿入穴３１は後述する他のフック材２のフック部２１を挿入し、吊り下げるものであることより、吊下体３０を首部１４から浮かせた状態で保持するするように、吊下部材３の基部３２の長さ、及び吊下部材回動穴１１深さを設定した場合には、フック部２１の装着に支障のない範囲であれば、フック部挿入穴３１が首部１４の上面部内側に入っても良いことは言うまでもない。
【００１８】
更に、フック材支持棒挿入孔３３は、吊下体３０を上部に引上る時に、フック材支持棒挿入孔３３に挿入しているフック材２の支持棒２０の上端部とフック部２１との折曲部に当接し、引き上げを制限させる働きをする。従って、この上部に持ち上げを制限することが出来るのであれば、フック材支持棒挿入孔３３の如く穴形状とせずに、支持棒２０の周りを基部３２が回動出来る構成とし吊下体３０の上面等適宜面とフック部２１と当接する構成としても良い。
【００１９】
本発明は、ハンガー本体の吊下部材回動穴１１内に吊下部材３の基部３２を装着する。次いで吊下部材３のフック材支持棒挿入孔３３内にフック材２の支持棒２０を上方から挿入し下端側の固定リング取り付け溝２２がフック材支持棒装入穴１０の下端面より突出させ、固定リング取り付け溝２２に固定リング２３を装着し衣料用ハンガーの組み立てを終了する。
【００２０】
次に、本発明の衣料用ハンガーを使用し連続的に吊り下げる場合について述べる。
図６に示すように、吊下部材３を回転しハンガー本体前面側に位置させる。
この時、吊下部材３の位置保持体３４は、吊下部材回動穴１１内底部の吊下部材位置固定穴１３に装着し、吊下部材３の上部の吊下体３０は、図６に示す状態となる。ここで、他の衣料用ハンガーのフック材２を、吊下部材３のフック部挿入穴３１内に挿入し、図７に示すように吊り下げを終える。
以下同様に繰り返し、所望の数だけ衣料用ハンガーを吊り下げることが出来る。ここで、吊り下げた衣料用ハンガーの荷重は、吊下体３０を介し吊下部材回動穴１１下面、及び吊下部材位置固定穴１３で支持することになる。また、衣料用ハンガーの首部１４の位置が、吊り下げ位置により順次下方に移動することより、衣料用ハンガーの厚みの問題とすることなく多数の衣料用ハンガーを吊り下げることが出来る。
なお、図８に示す如く、吊下部材位置固定穴１３を複数設けることにより吊下体３０の角度を複数（図８の実施形態では５方向）に変更し、吊り下げ位置を微妙に変えることが出来る。
【００２１】
吊下部材３の収納する場合について説明する。
吊下部材３の吊下体３０を持ち回転さる。この時吊下部材３の基部３２は、吊下部材回動穴１１内を回動し、基部３２の下端に有する位置保持体３４が吊下部材収納固定穴１２に収納されるになる。この為、吊下部材３は下方に移動し、吊下体３０は、吊下部材装着凹部１５内に装入することが出来る。
この吊下部材装着凹部１５の深さは吊下体３０の厚み以上となっていることより、吊下部材３を使用しないとき吊下部材装着凹部１５内に装入することで体裁が良好となるほか、吊下体３０に衣服を引っかける等事態を防止することが出来る。
【００２２】
この状態から、吊下体３０を吊下部材装着凹部１５から取り出す時は、衣料用ハンガーをひっくり返すことで、容易に吊下部材装着凹部１５から吊下体３０を取り出すことが出来るが、フック材２の吊下部材嵌合突起２４を吊下部材３の嵌合孔３５に嵌合させ、フック材２を上方に持ち上げると吊下体３０は簡単に吊下部材装着凹部１５から取り出すことが出来る。
また、図１０は、吊下体３０を吊下部材装着凹部１５から取り出す易くする為の構成で、吊下部材装着凹部１５の下部を大きく削取部１９を設けた構成で、この削取部１９で、吊下部材３の先端を指等で引っかけ、吊下部材装着凹部１５から取り出すものである。
【００２３】
最後に、このように構成した衣料用ハンガーに衣類を掛け持ち運ぶときは、図９に示すよう、手４で吊下部材３の吊下体３０を下方から持ち上げると、フック材支持棒挿入孔３３に挿入しているフック材２の支持棒２０の上端部と、フック材２のフック部２１との折曲部が当接し、それ以上上方への引き上げが制限される。なお、図９では、フック材２の向きが、ハンガー本体の後方向きとなっているため、吊下部材嵌合突起２４内に嵌合孔３５に嵌合して、上方への引き上げを制限しているが、この角度以外については、フック材２のフック部２１とフック材支持棒挿入孔３３上端部により吊下部材３の引き上げを制限している。
【００２４】
また、図９では、吊下部材嵌合突起２４内に嵌合孔３５に嵌合させることが出来ることより、吊下部材３を上方への引き上げた時、フック材２と吊下部材３を一体化させることが出来ることが出来る。
同様に、吊下体３０の代わりにを、例えば線材を曲げ形成した吊下体３６を用い、上述と同様に吊下部材３を上方への引き上げた時、フック材２と吊下部材３を一体化させることが出来る構成を図１１に示す。
ここで、この吊下体３６の基部３７の幅をフック部２１とほぼ同様の幅に形成すると共に、フック部２１の２０側に例えば、プレス等適宜手段で吊下部材嵌合突起２５を設ける。そして、吊下体３６を持ち上げたときに前記吊下部材嵌合突起２５が、吊下体３６の基部３７を押し広げるように作用し、吊下体３６がフック部２１の下端に固定させることが出来る。このようにフック部２１の下端に吊下体３６を固定することにより、例えばパイプ等で一度に大量の衣料用ハンガーを吊り下げる時に、フックの向きが一定を向いているため取り扱い易い作用を有する。
【００２５】
なお、基部３２の形状は上述の実施の形態では、円筒形の形状としているが、吊下部材回動穴１１内を回動可能であり、かつフック材２の支持棒２０の装着が出来る形状であれば良く、円筒形に限るものではなく、半円筒や、図１１に示す例の基部３２を除いたような線材を用いた吊下部材で形成した場合や柱材のみを、吊下部材回動穴１１内に配置するものであっても良い。ただ、このようにする場合には、当然に吊下部材３の上方への引き上げが制限させる構成を別に設ける必要がある。また、本実施例に示す如く、円筒形状とすることで、衣類等の綿くず等が吊下部材回動穴１１内に侵入し、フック材２や吊下部材３の動きを悪くすることを防止すると言う作用も有する。
更に、位置保持体３４は、実施例では楕円形状の柱体であるが、図１２に示す如くの下方に突起嵌合孔３５を設ける構成、或いは前述した図１１に示す線材、或いは棒状体の構成であっても良い。この場合、吊下部材回動穴１１の底部に設けている吊下部材収納固定穴１２，吊下部材位置固定穴１３の形状は、この嵌合孔３５等の形状に適合して設けることは言うまでもない。
【００２６】
【発明の効果】
本発明では、簡易な構成で、安価に大量に生産できる等優れた効果を有する他下記の種々な効果を有するものである。
本発明の請求項１及び６記載の発明によれば、衣料用ハンガーの吊り下げ位置が暫時下方に移動するため、ハンガーの厚みに関わらず多数の衣料用ハンガーを吊り下げることが出来る。また請求項１記載の発明ではこれに加えて衣料用ハンガーを衣服自体をさわることなく持ち上げることが出来る為、移動時及び衣料用ハンガーをロッカー等のポールに吊す際に作業が極めて簡易である。
【００２７】
請求項２記載の発明においては、ハンガー本体前面側に吊下体を位置させた時、吊下体の位置決め機構が設けられている為、吊下体に他のハンガーを吊り下げたとき吊り下げた衣料用ハンガーがふらつかず安定して吊り下げることが出来る。
【００２８】
さらに、請求項３記載の発明においては、フック材支持棒装入穴及び吊下部材回動穴の構造を、ハンガー本体とは別にユニットとして製作し、このユニットをハンガー本体に装着固定することで製作することが出来、各種の形状の衣料用ハンガーに適用することが出来るほか、木製の衣料用ハンガーに適用することが出来広範な衣料用ハンガーに適用することが出来る。
【００２９】
また、請求項４記載の発明においては、ハンガー本体の頂部の吊下部材回動穴の開口脇に設けている凹部に吊下体を挿入可能とすることで、吊下体を不使用時に収納することが出来体裁の良い製品を提供することが出来、請求項５記載の発明で、簡単に装着部分からの取り出しが可能である。
【図面の簡単な説明】
【図１】本発明に係る衣料用ハンガーの斜視図である。
【図２】本発明の使用に係るハンガー本体の要部拡大部分断面斜視図である。
【図３】本発明の使用に係るフック材２の斜視図である。
【図４】本発明の使用に係る吊下部材３の斜視図である。
【図５】本発明に係るハンガーのハンガー本体に設ける構造を、ハンガー本体１とは別にユニット化した実施例を示すの説明図である
【図６】本発明に係る衣料用ハンガーの使用状態を示す説明図である
【図７】本発明に係る衣料用ハンガーの使用状態を示す説明図である
【図８】本発明に使用する吊下部材回動穴の底部に有する吊下部材位置固定穴の他の実施形態を示す平面図である。
【図９】本発明に係る衣料用ハンガーを手で持った状態を示す説明図である
【図１０】本発明に使用するハンガー本体の他の実施形態を示す斜視図である
【図１１】本発明に使用する基部の他の実施形態を示す斜視図である。
【図１２】本発明に使用する位置保持体の他の実施形態を示す斜視図である。
【符号の説明】
１    ハンガー本体
１０  フック材支持棒装入穴
１１  吊下部材回動穴
１２  吊下部材収納固定穴
１３  吊下部材位置固定穴
１４  首部
１５  吊下部材装着凹部
１６  ユニット
１７  装着穴
１８  鍔部
１９  削取部
２    フック材
２０  支持棒
２１  フック部
２２  固定リング取り付け溝
２３  固定リング
２４  吊下部材嵌合突起
２５  吊下部材嵌合突起
３    吊下部材
３０  吊下体
３１  フック部挿入穴
３２  基部
３３  フック材支持棒挿入孔
３４  位置保持体
３５  嵌合孔
３６  吊下体
【図１】
0003903337.tif 000002
【図２】
0003903337.tif 000003
【図３】
0003903337.tif 000004
【図４】
0003903337.tif 000005
【図５】
0003903337.tif 000006
【図６】
0003903337.tif 000007
【図７】
0003903337.tif 000008
【図８】
0003903337.tif 000009
【図９】
0003903337.tif 000010
【図１０】
0003903337.tif 000011
【図１１】
0003903337.tif 000012
【図１２】
0003903337.tif 000013